(57)【要約】【課題】眼窩下部の眼窩部との隣接領域のたるみに対し、即効的に満足のいく改善硬化を得る。【解決手段】たるみ改善用具１Ａが、少なくとも眼窩下部Ｑの眼窩部Ｐとの隣接領域Ｑ１  に貼付又は載置され、眼窩部Ｐを実質的に押圧することなく、該隣接領域Ｑ１  を押圧する重しからなる。たるみ改善用具１Ａの前記隣接領域Ｑ１  に貼付又は載置される部位の単位面積当たりの重量を０．７ｇ／ｃｍ２以上、好ましくは０．７〜３０ｇ／ｃｍ２とする。また、たるみ改善用具１Ａに、重しを着脱自在に眼窩部上に装着させる係止具を設けることが好ましい。【選択図】    図１
2004337373.tif 000002
【特許請求の範囲】
【請求項１】
少なくとも眼窩下部の眼窩部との隣接領域に、貼付又は載置され、眼窩部を実質的に押圧することなく、該隣接領域を押圧する重しからなるたるみ改善用具であって、前記隣接領域に貼付又は載置される部位の単位面積当たりの重量が０．７ｇ／ｃｍ２  以上であるたるみ改善用具。
【請求項２】
たるみ改善用具の、眼窩下部の眼窩部との隣接領域に貼付又は載置される部位の単位面積当たりの重量が０．７〜３０ｇ／ｃｍ２  である請求項１記載のたるみ改善用具。
【請求項３】
重しを着脱自在に眼窩部上に装着させる係止具を備えた請求項１又は２記載のたるみ改善用具。
【請求項４】
少なくとも眼窩下部の眼窩部との隣接領域に、重しを貼付又は載置し、眼窩部を実質的に押圧することなく、該隣接領域を６８．６Ｐａ以上の押圧力で押圧することからなる眼窩下部のたるみ改善方法。
【発明の詳細な説明】
【０００１】
【発明の属する技術分野】
本発明は、眼窩下部の眼窩部との隣接領域に生じるたるみを即効的に解消又は低減させるたるみ改善用具に関する。
【０００２】
【従来の技術】
加齢と共に増加するしみ、しわ、たるみは、老徴と言われ、性別を問わず肌悩みの一つとなっており、特に、目の下のたるみ、即ち、眼窩下部の眼窩部との隣接領域に生じるたるみは、しわやくまを伴うので、重大な肌悩みとなっている。
【０００３】
従来、皮膚のかさつき、小じわ、くま、くすみ等を改善する方法として、保湿剤、血行促進剤等を添加した化粧料を皮膚に塗布すること、保湿剤、血行促進剤等を添加したシート状化粧料を全顔又は目の周り等に貼着すること（特許文献１、特許文献２参照）、マッサージを行うこと等が知られている。
【０００４】
【特許文献１】特開２０００−１２８７３２号公報
【特許文献２】特開２００１−５８９２４号公報
【０００５】
【発明が解決しようとする課題】
しかしながら、上述のいずれの方法を行っても、眼窩下部の眼窩部の隣接領域のたるみに対して早期の改善は望めず、満足のいく効果も得られないのが現状である。
【０００６】
これに対し、本発明は、眼窩下部の眼窩部との隣接領域のたるみに対し、即効的に満足のゆく改善効果を得ることを目的とする。
【０００７】
【課題を解決するための手段】
本発明者は、眼窩下部の眼窩部との隣接領域を特定の荷重で一定時間押圧すると、その押圧直後から、眼窩下部の眼窩部との隣接領域のたるみを改善できることを見出した。
【０００８】
即ち、本発明は、少なくとも眼窩下部の眼窩部との隣接領域に、貼付又は載置され、眼窩部を実質的に押圧することなく、該隣接領域を押圧する重しからなるたるみ改善用具であって、前記隣接領域に貼付又は載置される部位の単位面積当たりの重量が０．７ｇ／ｃｍ２  以上であるたるみ改善用具を提供する。
【０００９】
また、本発明は、少なくとも眼窩下部の眼窩部との隣接領域に、重しを貼付又は載置し、眼窩部を実質的に押圧することなく、該隣接領域を６８．６Ｐａ以上の押圧力で押圧することからなる眼窩下部のたるみ改善方法を提供する。
【００１０】
ここで、たるみ改善用具が眼窩部を実質的に押圧しないとは、眼窩部を全く押圧しないか、あるいは押圧する場合でも、その押圧力が、０．７ｇ／ｃｍ２  に満たない荷重によること、即ち、６８．６Ｐａ未満の押圧力であることをいう。したがって、例えば、たるみ改善用具がある程度の広がりを持つために、眼窩下部の眼窩部との隣接領域だけでなく眼窩上部にも載置され、かつそのたるみ改善用具が可撓性を持たず、結果的に眼窩部が０．７ｇ／ｃｍ２  に満たない荷重で押圧される場合、この眼窩部は実質的に押圧されていない範疇に入る。
【００１１】
【発明の実施の形態】
以下、図面を参照しつつ、本発明を詳細に説明する。なお、各図中、同一符号は同一又は同等の構成要素を表している。
【００１２】
図１は、本発明の一実施例のたるみ改善用具１Ａの平面図及び断面図であり、図２は、その使用状態の説明図である。
【００１３】
このたるみ改善用具１Ａは、眼窩部Ｐ、特に眼球上を押圧することなく、眼窩下部Ｑの眼窩部Ｐとの隣接領域（以下、眼窩下部の目側領域と称する）Ｑ１  を選択的に押圧することができるように、丁度、眼窩下部Ｑに適合し、眼窩部Ｐや頬骨部Ｒにかからない大きさに成形された、右目用と左目用の一組の板状の重しからなっている。
【００１４】
ここで、たるみ改善用具１Ａの、眼窩下部Ｑの目側領域Ｑ１  に貼付又は載置される部位の単位面積当たりの重量は０．７ｇ／ｃｍ２  以上、好ましくは０．７〜３０ｇ／ｃｍ２  である。この単位面積当たりの重量は、従来の肌に密着させて使用する貼付タイプのしわ伸ばし用（リンクルケア用）のシート状化粧料が約０．２ｇ／ｃｍ２  以下であるのに対して３倍以上重く、本発明のたるみ改善用具はしわ伸ばし用のシート状化粧料と明確に区別される。
【００１５】
また、たるみ改善用具１Ａの総重量は、１０〜５０ｇとすることが好ましい。軽すぎると眼窩下部への定着性が悪く、また、十分なたるみの改善を得られず、反対に重すぎると眼窩下部に過剰な負担がかかり、圧迫感が生じる。
【００１６】
このたるみ改善用具１Ａを、図２に示したように眼窩下部Ｑに１０分間以上載置すると、眼窩下部Ｑの目側領域Ｑ１  のたるみが直ちに改善され、その後もその改善された状態が持続する。これは、適度な荷重による押圧力で、目の下に滞留している組織液が押し戻されると考えられるため、その結果としてたるみ部分の凸部がその周りの肌表面と同じ高さになると考えられる。これに対し、眼窩下部Ｑの目側領域Ｑ１  を押圧する力が弱すぎるとたるみの改善効果がなく、強すぎると眼窩下部に過剰な負担がかかり、圧迫感が生じるので好ましくない。
【００１７】
なお、目及びその周囲に荷重をかける用具としては、図１３に示す目枕２０が知られている。この目枕２０は、眼球上とその周囲全体、即ち、眼窩部上を覆うように、目とその周囲に載せて用いられるものである。このため、眼窩下部Ｑの目側領域Ｑ１  は、眉や眼球や頬骨の部位に対して窪むこととなり、眼窩下部Ｑの目側領域Ｑ１  には十分な圧力がかからないので、本発明のたるみ改善用具１Ａの効果は得られない。
【００１８】
また、図３は、たるみ改善用具１Ａ’  を、眼窩下部Ｑだけでなく眼窩部Ｐの眼球上にもかかる大きさに形成したものである。この態様では、たるみ改善用具１Ａ’  の単位面積当たりの重量を０．７ｇ／ｃｍ２  以上とすると、眼窩下部Ｑの目側領域Ｑ１  よりも、突き出ている眼球に多くの荷重がかかり、眼球が０．７ｇ／ｃｍ２  以上の荷重で押圧されることとなるので好ましくない。
【００１９】
また、図４に示すように、たるみ改善用具１Ａ’’の大きさが、眼窩下部Ｑの他に頬骨部Ｒや頬部Ｓにもかかるように形成すると、たるみ改善用具１Ａ’’の荷重の多くが頬骨部Ｒや頬部Ｓで支えられ、眼窩下部Ｑの目側領域Ｑ１に所定の圧力がかかりにくくなるので、好ましくない。
【００２０】
したがって、たるみ改善用具１Ａは、眼窩部Ｐ、頬骨部Ｒ、頬部Ｓにかからない大きさとすることが好ましい。この場合、たるみ改善用具の総重量は、片目分で、８〜２５ｇとなる。
【００２１】
また、たるみ改善用具１Ａの厚さは、眼窩下部Ｑに良好にフィットし、ずれ難く、収まりが良く、安定性が良い点から３〜１５ｍｍが好ましい。厚さが１５ｍｍを超えると、たるみ改善用具を貼付又は載置する眼窩下部Ｑの面積に対して厚さが厚くなり過ぎ、安定性が悪くなる可能性があり、且つ、重さも重くなる。反対に、３ｍｍよりも薄くなると、フィット性は確保できるが、軽すぎてたるみ改善用具の効果を得にくくなる。
【００２２】
たるみ改善用具１Ａの形成素材に関しては特に制限はないが、例えば、眼窩下部Ｑへのフィット性と柔軟性の点から、シリコーンポリマー、寒天、ビニールポリマー、ゼラチン等からなる柔軟なゲル材料をあげることができる。これらのゲル材料は、ＪＩＳ  Ｋ  ２２２０による針入度が２０〜１００となるように形成することが好ましい。柔軟性の調整は、例えば、シリコーンポリマーゲルや、ビニールポリマーゲルの場合、油分と水分との混合比により行うことができる。また、１種以上のモノマーに、必要により架橋剤を加え、重合して得られたものを使用する場合に、重合度の調整により所定の柔軟性を得てもよい。
【００２３】
たるみ改善用具１Ａをゲル材料から製造する方法としては、例えば、ゲル材料を加温し、融解して所定の型に流し入れ、放置冷却する。このゲル材料の製造工程のいずれかの段階において、保湿剤や種々の薬効成分を加えても良い。
【００２４】
ここで、保湿剤としては、グリセリン、ソルビトール、ポリエチレングリコール、天然又は合成のセラミド類等が挙げられる。また、薬効成分としては、たるみやしわ等の改善効果が期待されるマロニエエキス、ヒバマタエキス、ショウキョウエキス、ワレモコウエキス、グアニジン誘導体等；美白効果を有するカミツレエキス、リョクチャエキス、ジユエキス、アルテアエキス等；抗炎症効果を有するグリシルリチン等をあげることができる。
【００２５】
また、たるみ改善用具１Ａは、種々の天然繊維又は合成繊維からなる不織布又は織布の袋体に金属球、ガラスビーズ、プラスチックビーズ、砂等を充填することにより形成してもよく、さらに、袋体をポリエチレン等の樹脂でラミネートすることにより非透湿性とし、内部に水を充填してもよい。たるみ改善用具１Ａを粒状材料の充填により形成する場合、その粒径は小さいほど顔面の表面形状への追随性が向上するので好ましく、より具体的には５ｍｍ以下とすることが好ましい。こうして追随性を向上させた場合には、たるみ改善用具１Ａの大きさは、眼窩下部Ｑだけでなく、頬骨部Ｒや頬部Ｓにかかるようにしてもよい。
【００２６】
たるみ改善用具１Ａをゲル材料から形成する場合にも、粒状材料の袋体への充填により形成する場合にも、顔面にたるみ改善用具１Ａを固定する便宜上、眼窩下部と接する面には、必要に応じて、粘着剤層等を設けてもよい。粘着剤の基材としては、水溶性高分子化合物等を使用することができる。この粘着剤層には、保湿剤、美白剤等として、上述の薬効成分を添加してもよい。
【００２７】
たるみ改善用具１Ａの使用方法に関しては、たるみ改善用具１Ａを眼窩下部Ｑに載置し、３〜３０分間おく。ここで、たるみ改善用具１Ａは、少なくとも眼窩下部Ｑの目側領域Ｑ１  上に位置するように、眼窩下部Ｑの上に直接的に載置してもよく、また、しわ伸ばし用等の全顔パックシート等上に重ねて載置してもよい。さらに、たるみ改善用具１Ａを構成する重しに係止具を取り付け、所定の位置にたるみ改善用具１Ａを固定してもよい。係止具としては、例えば、両眼窩下部に載置される２つのたるみ改善用具１Ａを、紐、帯等によりつなげ、さらにその両端に固定用の留め具を設けたものとする。いずれの場合も、たるみ改善用具１Ａの載置により、たるみを即効的に改善することができる。
【００２８】
たるみ改善用具を使用する際の体位は、たるみ改善用具を貼付又は載置して使用する場合、仰向けに横になった状態、若しくは天井を見上げるようにして座った状態が好ましい。また、係止具を使用する場合には、立位での使用が可能である。
【００２９】
たるみ改善用具１Ａの載置時間は、たるみの程度に応じて短縮、延長することができる。また、たるみ改善用具は、反復使用することが好ましく、例えば、１日１回４日間以上使用する。さらに、たるみ改善用具１Ａの使用感を向上させるため、眼窩下部Ｑに載置している間に、冷却あるいは加温してもよい。
【００３０】
本発明のたるみ改善用具は、眼窩部を実質的に押圧することなく、眼窩下部の目側領域を選択的に押圧できるようにする限り、種々の形状をとることができる。
【００３１】
例えば、図５は、本発明のたるみ改善用具の他の実施形態である。このたるみ改善用具１Ｂでは、上述のたるみ改善用具１Ａの両目分を鼻根に当たる部分で連接させ、顔面での載置状態を安定化させている。
【００３２】
図６も、本発明のたるみ改善用具の実施形態である。このたるみ改善用具１Ｃでは、片目分を半環状としている。さらに、図７のたるみ改善用具１Ｄように、図６のたるみ改善用具１Ｃを、鼻根に当たる部分で連接させてもよい。
【００３３】
図８は、本発明のたるみ改善用具のさらに異なる実施形態である。このたるみ改善用具１Ｅのように片目分を豆型としてもよい。また、たるみ改善効果を大きくするために、眼窩下部Ｑの目側領域Ｑ１  に当たる部位の厚みを厚くし、眼窩下部Ｑの目側領域Ｑ１  に当たる部位の単位面積当たりの重量を大きくしてもよい。
【００３４】
また、図９のたるみ改善用具１Ｆのように、図８のたるみ改善用具１Ｅを鼻根に当たる部分で連接させてもよい。
【００３５】
さらに、たるみ改善効果をより大きくするために、図１０のたるみ改善用具１Ｇのように眼窩下部Ｑの目側領域Ｑ１  に当たる部位に鉛等の金属板２をゲル材料３中に埋め込み、眼窩下部Ｑの目側領域Ｑ１  に当たる部位の単位面積当たりの重量を大きくしてもよい。
【００３６】
図１１のたるみ改善用具１Ｈは半ドーム状であり、これを顔面に載置した場合にドーム４が眼球上に位置するようにし、たるみ改善用具１Ｈが、眼球を実質的に押圧することなく、眼球を覆うようにしたものである。
【００３７】
図１２は、係止具５を備えたたるみ改善用具の実施形態の一例である。このたるみ改善用具１０は、眼球部をくり抜いた環状の重し１Ｉであって、その下半分（図中、ドットで塗りつぶした部分）をその上部より重く形成したもの２つを、鼻根に当たる部分で繋げたものと、係止具５からなる。係止具５は、一端が重し１Ｉに取り付けられ、他端が面ファスナー等の固定治具６で互いに重ね合わせて固定できる一対の帯状部材からなる。このたるみ改善用具１０によれば、重し１Ｉを、そのくり抜かれた部分が眼球上にくるように眼窩部に当て、後頭部で一対の面ファスナー等の固定治具６をとめることにより、重し１Ｉを当初の位置に安定に保持させることができる。この形態は、特に、立位でのたるみ改善用具の使用に有効である。
【００３８】
【実施例】
試験例１
目の下のたるみの気になる健常人（７名）を被験者とした。
【００３９】
図１の形状のたるみ改善用具を、単位面積当たり重量１１ｇ／ｃｍ２  、３４ｇ／ｃｍ２  の２種について、寒天から形成した。
【００４０】
まず、仰向け状態の各被験者の顔面の目の下を写真撮影した。次に、被験者７人の両眼（ｎ＝１４）を、Ａ群（荷重３４ｇ／ｃｍ２  、ｎ＝７）と、Ｂ群（荷重１１ｇ／ｃｍ２  、ｎ＝７）とに分け、たるみ改善用具を仰向け状態の被験者の目の下に載置し、１０分間保持させた。この１０分間のたるみ改善用具の載置を１日１回で４日間連続して行い、たるみ改善用具の１回目の使用直後と、４回目の使用から１日経過した後とに再度写真撮影をし、各写真における目の下のたるみ状態を目視観察し、以下の基準でたるみの程度をスコア化し、７人のスコアの平均を算出した。結果を表１に示す。
【００４１】
スコア１：たるみが認められない
スコア２：たるみがわずかに認められる
スコア３：たるみが中程度に認められる
スコア４：たるみがやや強く認められる
スコア５：たるみが顕著に認められる
【００４２】
【表１】
2004337373.tif 000003
【００４３】
表１の結果から、本発明のたるみ改善用具を使用すると、その使用直後からたるみ改善効果が認められること、さらに、連続使用することにより、効果が持続することがわかる。
【００４４】
【発明の効果】
本発明によれば、眼窩下部の眼窩部との隣接領域のたるみを即効的に改善することができる。
【図面の簡単な説明】
【図１】たるみ改善用具の平面図及び断面図である。
【図２】たるみ改善用具の使用状態の説明図である。
【図３】たるみ改善用具の大きさの説明図である。
【図４】たるみ改善用具の大きさの説明図である。
【図５】たるみ改善用具の平面図である。
【図６】たるみ改善用具の平面図及び断面図である。
【図７】たるみ改善用具の平面図である。
【図８】たるみ改善用具の平面図及び断面図である。
【図９】たるみ改善用具の平面図及び断面図である。
【図１０】たるみ改善用具の平面図及び断面図である。
【図１１】たるみ改善用具の平面図及び断面図である。
【図１２】係止具を備えたたるみ改善用具の斜視図である。
【図１３】従来の目枕の使用状態の説明図である。
【符号の説明】
１Ａ、１Ｂ、１Ｃ、１Ｄ、１Ｅ、１Ｆ、１Ｇ、１Ｈ、１Ｉ    たるみ改善用具又は重し
２      金属板
３      ゲル材料
４      ドーム
５      係止具
１０      係止具を備えたたるみ改善用具
２０      目枕
Ｐ      眼窩部
Ｑ      眼窩下部
Ｑ１      眼窩下部の目側領域
Ｒ      頬骨部
Ｓ      頬部
【図１】
2004337373.tif 000004
【図２】
2004337373.tif 000005
【図３】
2004337373.tif 000006
【図４】
2004337373.tif 000007
【図５】
2004337373.tif 000008
【図６】
2004337373.tif 000009
【図７】
2004337373.tif 000010
【図８】
2004337373.tif 000011
【図９】
2004337373.tif 000012
【図１０】
2004337373.tif 000013
【図１１】
2004337373.tif 000014
【図１２】
2004337373.tif 000015
【図１３】
2004337373.tif 000016